(57)【要約】【課題】  デザイン性に富み、尚且つ眼球の保護と遮光に優れた眼鏡及びサングラスの提供を目的とする。【解決手段】  眼鏡本体前枠（１）内部に着脱自在となるインナーフレーム（５）を施し、当該インナーフレーム（５）はフレーム枠の左右側面部から上下方向の幅が徐々に狭くなるように正面視略弾丸状で内面部を湾曲させた遮光フード部（６）を一体形成させ、インナーフレーム（５）の枠前面のいずれかの部位に適宜数の通気孔を設け、該眼鏡本体（Ａ）に該インナーフレーム（５）を取着させ、顔面に装着した状態で遮光フード部（６）と密着した際に、レンズ内にくもり発生を防止すると共に遮光性を向上させたことを特徴して、問題が解決される。【選択図】  図１
2005292750.tif 000002
【特許請求の範囲】
【請求項１】
眼鏡本体前枠（１）内部に着脱自在となるインナーフレーム（５）を施し、当該インナーフレーム（５）はフレーム枠の左右側面部から上下方向の幅が徐々に狭くなるように正面視略弾丸状で内面部を湾曲させた遮光フード部（６）を一体形成させ、インナーフレーム（５）の枠前面のいずれかの部位に適宜数の通気孔を設け、該眼鏡本体（Ａ）に該インナーフレーム（５）を取着させ、顔面に装着した状態で遮光フード部（６）と密着した際に、レンズ内にくもり発生を防止すると共に遮光性を向上させたことを特徴とする、遮光用インナーフレーム付き眼鏡及びサングラス。
【請求項２】
前記眼鏡本体前枠（１）内部に着脱自在となるインナーフレーム（５）の構成において、当該本体前枠（１）の前枠ブリッジ部（３）に本体マグネット（１０）を施し、前記本体マグネット（１０）と同位置になるように、インナーフレーム（５）に形成したインナーブリッジ部（７）の下面にインナー用マグネット（１２）を施すことで、取着した時に吸着一体構成されるようして、着脱自在となることを特徴とした遮光用インナーフレーム付き眼鏡及びサングラス。
【請求項３】
前記インナーフレーム（５）内面に、眼球面周り及び顔面密着した際に適する形状体の高密度低反発ウレタンフォーム材または、シリコン樹脂材により構成されたゴーグルパッドを取着させたことを特徴とする、請求項１乃至り請求項２記載の遮光用インナーフレーム付き眼鏡及びサングラス。
【請求項４】
前記ゴーグルパッドは、消臭素材と抗菌性素材と吸汗保温向上素材とを添加されたことを特徴とする、請求項３記載のゴーグルパッド。
【発明の詳細な説明】
【技術分野】
【０００１】  本発明は、眼鏡またはサングラスを着用する際に、粉塵・埃等のゴミや、光の進入を防ぐための遮光効果と、顔面に当たる風雨から直接目を保護することができる、眼鏡及び偏光グラス・サングラスに関するものである。
【背景技術】
【０００２】  従来、サングラスは本来、夏の日差しのきつい時に眼を保護するのが目的で案出されたもので、通常、濃い緑、茶或いは青を基調とするカラーのレンズを用いて太陽光線をカットしている。勿論、遠近眼鏡（所謂、度の入ったもの）の他に、単なるガラスプレートを着色したものも含まれる。これらには偏光グラスのように太陽光線の光やその他乱反射に対応するような眼鏡が現在主流となり、目に光の進入を防止するための遮光グラスの開発も多くなされているものである。【０００３】そこで従来より、眼鏡に取着して遮光の役目を補うものとしては、テンプルに遮光フードを取付けた技術のものが公知である。また、眼鏡自体を保護するものとしては、眼鏡を内包するように設計されたゴーグルが一般的であり、特にスポーツにおいて眼鏡を用いる場合には、眼鏡を保持するバンドを用いたタイプに加え、ゴーグル型で眼鏡を覆いカバーするものが使用されていた。また、自動二輪車などの大型バイクでの走行時には、サングラスを着用するバイカーも多く存在するが、この場合も、風や埃から目を保護する上でゴーグル型の眼鏡を覆ったものを使用するものも見受けられた。【０００４】更に、ウインタースポーツでは、スキー、スノーボードなどでは眼鏡及びサングラス自体での着用では、向い風や雪が直接目に入ることから、専用のゴーグルが用いられていたものである。なお、太陽光と雪の反射を避ける上で偏光グラス型が最も主流なものとなっている。このことは、釣りにおいても同様であり、特に海・山渓・湖沼に拘らず釣果を上げるために、偏光グラスであることはもとより遮光機能を備えた眼鏡・サングラスの使用も盛んとなっている。【０００５】このことから従来より、遮光に関する偏光グラスとしては、偏光レンズを保持するレンズ枠と、該レンズ枠から後方に延設されてなるエンドピースと、該エンドピースにヒンジ部で連結されて折り畳み可能に設けられてなるテンプルと、該テンプルに取り付けられテンプルの拡開状態に前記エンドピースとテンプルの外側に位置して、着用時における側方からの入射光を遮る遮光フードとを備えてなるものが公知である。【０００６】上述遮光フード付き偏光グラスは、主に釣り用として用いられ、前方からの光を偏光レンズが遮ると共に、側方からの光を遮光フードが遮ることによって、海水面等からの反射光を確実に遮断して海水面等を見やすくしたものであった。【０００７】ところが、前述した遮光を目的とする公知技術には以下の欠点が生じていた。公知技術による遮光フード付き偏光グラスにあっては、ポケット等に収納する際にテンプルを折り畳むと、遮光フードがレンズ枠の横方向の幅よりも外側に大きくはみ出すことになり、収納に極めて不便で持ち運びし難いという問題があった。【０００８】即ち、テンプルを折り畳んだ状態では、エンドピースの長さ分だけ遮光フードがヒンジ部から外側にはみ出ることになるので、その長さ分横方向の幅が大きくなる事にある。【０００９】一方、収納性を向上させるために、遮光フードを小型化すると、エンドピースの外側を遮光フードが覆わなくなるなど、着用時の光の遮断面積が自ずと小さくなって所望の遮光特性を得ることができないという問題があった。このように、従来���遮光フード付き偏光グラスにあっては、十分な遮光面積の確保と収納の容易さとを両立させることは不可能であった。【００１０】そこで、このような公知技術の遮光フード付き偏光グラスの欠点を補うものとして、特開平１１−１６７０８６号のようなフード形状を球面状かつ、後方側に向かって上下方向の幅が狭くなるように略弾丸状に形成し、テンプルに沿ってスライドするようにしたものが開示されている。【００１１】また、他の遮光用としては眼鏡のフレーム上面に目庇を設けたことを特徴とした眼鏡型サンバイザーなる特開平１１−３６１２７号の技術や、遮光レンズに割れや固定具のズレが生じない遮光具とした、特開平９−２６９４６６号や実用新案登録第第３０１１３５６号「眼鏡用前掛け遮光具」のような技術が開示されている。
【発明の開示】
【発明が解決しようとする課題】
【００１２】  然しながら、上述したように特に大型バイクでの走行時にはサングラスを着用する場合に、風が目の中に巻き込んでくることから涙が流出することや、埃、塵等が眼球とサングラスの隙間から入るため、危険であり、特に雨が降ってきた場合には走行にも支障をきたしていたものである。そこでシールドが付いたフルフェイスタイプのヘルメットを着用せざるを得ないことにもなり、サングラス着用での走行には不便な点が多々あった。また実際にはシールドの無いヘルメットを使用しているバイカーも多く存在していた。【００１３】次に、偏光グラスなどの釣り用サングラスでは遮光として側面からの光の進入を防ぐために、上述のようなテンプルにフードを設けたものや、サンバイザーを取着したもの、遮光アクセサリーを取付けたものなどがあるが、これら開示技術のものは、例えばフード型にあっては顔の形とマッチングしないため隙間が生じてしまい、側面及び後方からの光りの進入を完全に防止することができないものであった。また、眼鏡デザインによっては前面レンズ上部と眼球との隙間も生じるため直接光が入射することにもなることから、完全な遮光としての役割を果たすことができなかったものである。【００１４】特に、バイザーを取着した場合には眼鏡前面に取着する煩わしさに加え、邪魔となるほか側面部、後方部からの光が容易に侵入することから遮光の意味が成されない。また上記取付け金具による遮光を行う技術では眼鏡自体に施す部品点数が多く、コスト面での欠点に加え、前述同様に顔と一致して完全に遮光するためのものは存在しないのが実情であった。このことは、眼鏡と一体化した遮光手段において従来のものはそのデザイン性にも乏しいものであり、機能的欠点が存在した。【００１５】またこれまで、従来技術には眼鏡の前面に種々道具を施すものや、眼鏡を内包するゴーグルなどは存在したが、眼鏡の内側にインナーとする遮光用フレームを使用したものやゴーグルパッドを取着したものは存在しなかったものである。なお、特にこれまで眼鏡内部に取着して眼球を保護し、かつ、光の進入を完全に防ぐ手段のものは無く、インナー部を取り替えて使用することにより、通常時には何ら変わることが無い眼鏡及びサングラスを提供するものは皆無であった。【００１６】本発明は上述の種々なる問題点に鑑み、その問題点を解決するため、これまでのデザインを損なうことなく、さらにはより多くのデザイン性に富み、尚且つ眼球の保護と遮光に優れた眼鏡及びサングラスの提供を目的とするものである。
【発明が解決するための手段】
【００１７】  前記の問題点を解決すべく種々研究の結果、上記目的は本発明によって有効に達成することができる。
【００１８】すなわち本発明は、眼鏡本体前枠（１）内部に着脱自在となるインナーフレーム（５）を施し、当該インナーフレーム（５）はフレーム枠の左右側面部から上下方向の幅が徐々に狭くなるように正面視略弾丸状で内面部を湾曲させた遮光フード部（６）を一体形成させ、インナーフレーム（５）の枠前面のいずれかの部位に適宜数の通気孔を設け、該眼鏡本体（Ａ）に該インナーフレーム（５）を取着させ、顔面に装着した状態で遮光フード部（６）と密着した際に、レンズ内にくもり発生を防止すると共に遮光性を向上させたことを特徴としている。
【００１９】また請求項２記載の如く、前記眼鏡本体前枠（１）内部に着脱自在となるインナーフレーム（５）の構成において、当該本体前枠（１）の前枠ブリッジ部（３）に本体マグネット（１０）を施し、前記本体マグネット（１０）と同位置になるように、インナーフレーム（５）に形成したインナーブリッジ部（７）の下面にインナー用マグネット（１２）を施すことで、取着した時に吸着一体構成されるようして、着脱自在となることを特徴とした遮光用インナーフレーム付き眼鏡及びサングラスが提供できる。
【００２０】さらに、前記インナーフレーム（５）内面に、眼球面周り及び顔面密着した際に適する形状体であって、かつ、形状復帰型の吸収体スポンジ性素材により構成されたことを特徴とし、典型的には、眼球面周り及び顔面密着した形状体の高密度低反発ウレタンフォーム材または、シリコン樹脂材により構成されたゴーグルパッドを取着させたことを特徴とする。
【００２１】また請求項４の如く前記ゴーグルパッドは、消臭素材と抗菌性素材と吸汗保温向上素材とを添加することができる。
以上の如く前記各記載の遮光用インナーフレーム付き眼鏡及びサングラスを提供することにより上述種々の問題点を解決している。
【発明の効果】
【００２２】  以上の如く、本発明の遮光用インナーフレーム付き眼鏡及びサングラスによれば、自動二輪車等のバイク走行において、シールドの無いヘルメットを使用しているバイカーにとっては、サングラス着用と何ら変わらず使用できることから、これまで眼鏡及びサングラスと顔面との隙間からの風の流入を完全防止でき、涙の流出を阻止することができる。また、粉塵や埃から目を保護することができると共に、雨・汗などの流入を防ぐことができる。特にバイク走行では安全な視界を確保できるため事故防止にもつながる。
【００２３】また、釣り用として用いる場合に、偏光レンズと組み合わせるとフレーム外部から進入する光を遮ることが出来るため、より高い偏光度が得られ、集中力が向上する。また船やボートの釣り人にとっては走航中ゴーグルの代わりにもなり、風の巻き込みを完全に防御することで安全な視界が得られる。
【００２４】スキー・スノーボードなどのウインタースポーツにおいても、これまでのゴーグルに変わって度付の眼鏡は勿論のこと、サングラス及び偏光グラスとして、風や雪の流入を防ぐことができる。
【００２５】さらに、インナーフレームと眼鏡を組み合わせた本発明においては、これまでの眼鏡及びサングラスのデザインと見劣りすることが無い、デザイン性に富み優れた意匠を提供できる。またインナーフレームにゴーグルパッドを取着させることで、顔面により優れた密着感を与え、眼球内に風や埃の進入を防ぐことができる。
【００２６】本発明は、必要時に遮光するという発想から生まれたもので、レンズフレームとインナーフレームが一体型フォームとなることによって、インナーフレーム未使用時は通常の眼鏡及びサングラスとして使用できることから、普段での生活で使用するほか多種目に渡り利用ができる。
なお、本発明の使用にあたりコンタクトレンズ使用者にとっても何等支障を及ぼすことがなく快適に使用ができる。
以上、本発明は多方面での有効利用による市場性の向上は勿論のこと、眼鏡業界の市場性の向上を計ることができることにより、産業上に極めて有意義かつ多大な効果を生ぜしめるものである。
【発明を実施するための最良の形態】
【００２７】  以下に、本発明における遮光用インナーフレーム付き眼鏡及びサングラスの一実施形態について、図面を交え図番に沿って詳述する。図１は本発明の第１実施例における外観斜視図で、図２は同実施例の正面図であり、図３の至り図６はそれぞれ、背面図、右側面図、平面図、底面図である。典型的な形状としては、図１乃至り図６及び図１２において、当該図１２の上面からの装着を表す参考斜視図に示すとおり、本発明は眼鏡本体Ａとインナーフレーム５により構成される。【００２８】各図より、眼鏡本体Ａは本体前枠１をメインフレームとして、前記本体前枠１と左右のテンプル４と該テンプル４を連結する右智、左智（以下、「ジョイント金具」と呼ぶ。）とから連結構成され、本体前枠１前面部に左右連結する前枠ブリッジ部３と左右偏向レンズ２から成る。当該本体前枠１の前枠ブリッジ部３にはインナーフレーム５を取着するための本体マグネット１０が埋設されており、当該本体マグネット１０の磁性ユニットを通してインナーフレーム５を取着嵌合させて構成される。本発明は、必要時に遮光するという発想から生まれたもので、レンズフレームとインナーフレームが一体型フォームとなることによって、インナーフレーム未使用時は通常の眼鏡及びサングラスとして使用できることから、普段での生活で使用する時には、インナーフレーム５を取り外し、前記ジョイント金具により左右テンプル４を折り畳み収納できる。【００２９】当該インナーフレーム５は、上述の各図及び図８の装着状態を表す部分斜視図に示すように、フレーム枠の左右側面部から上下方向の幅が徐々に狭くなるように正面視略弾丸状で内面部を湾曲させた遮光フード部６を一体形成させ、前記遮光フード部６は、上下壁６ａ、６ｂが内側に屈曲して断面視略ハの字に形成されてなり、内側に屈曲した上下壁６ａ、６ｂによって、斜め上方及び斜め下方から目と眼鏡本体Ａとの間に入射する光を遮断する形状になっている。【００３０】また図８乃至り図１２に示すように、インナーフレーム５は、左右を連結するようにインナーブリッジ部７を形成しており、図９のインナーフレーム５を取り外した状態の分解斜視図及び図１１のインナーフレーム５の底面図、図１２の上面からの装着を表す参考斜視図に示すとおり、インナーブリッジ部７には本体前枠１の前枠ブリッジ部３に施した本体マグネット１０の磁性ユニットと同位置かつ、嵌着なるようにインナーブリッジ部７下面にインナー用マグネット１２の磁性ユニットを埋設しており、この本体マグネット１０の磁性ユニットとインナー用マグネット１２の磁性ユニットにより着脱を自在としている。両ブリッジ部のみでの嵌着であっても、装着時には本体前枠１の前枠ブリッジ部３に掛けるので、ユーザーが走っても、上下に跳ねてもインナーフレーム５のインナーブリッジ部７が本体前枠１に支持され、じっとしている。その結果、インナーフレーム５が眼鏡本体Ａから脱離することを防止する。【００３１】実施にあたり、本体マグネット１０とインナー用マグネット１２が吸着された際に、本体前枠１とインナーフレーム５のフレーム同士に隙間が生じないように、各マグネットは互いに埋設され、着磁されたマグネット表面部同士が密着するように形���されることでよい。また、フレームに埋設した各々のマグネットを凹凸状に組み合わせることもできる。例えばインナーブリッジ部７下面に施すインナー用マグネット１２を凸状にフレーム表面から突出させ、前枠ブリッジ部３に埋設した本体マグネット１０はフレーム表面から凹状となるように彫り込みした部分に埋設させ、インナー用マグネット１２の突出した部分と彫り込みされた部分に埋設した本体マグネット１０とが互いに吸着嵌合することによって、フレーム同士に隙間が生じないだけでなく、枠体同士の位置ズレの解消にもつながる。【００３２】なお、前述したように実施例として、インナーフレーム５を本体前枠１内面部に取着する手段は、各ブリッジ部に施した磁性ユニットの吸着による着脱手段を代表例としているが、本発明においては、眼鏡本体内面部にインナーフレームを取着することであることから、眼鏡本体Ａにインナーフレーム５が着脱自在となる手段であれば良いことから、ブリッジ部以外のフレーム面同士を嵌着する手段でもよく、当該眼鏡本体Ａと該インナーフレーム５が着脱自在となる適宜手段によって、本発明における同様の効果が全て得られる。【００３３】次に、インナーフレーム５の枠前面には外周部位に適宜の数の通気孔８を施しており、図中の通気孔８は角型形状であるものの、円形でもよく、また、通気孔８を施している事が理解し易いように極端に大きく穿孔した状態を表したもので、実際には小径の孔とすることでよい。また当該通気孔８を設ける位置は、インナーフレーム５外周面内に複数個設ける事で良いとするものの、雨等の水滴がインナーフレーム５内に侵入することを防ぐために適するのは、インナーフレーム５上部または側面よりも、下部のみに設けることが最も良い手段である。このようにインナーフレーム５に設けられた通気孔８によって眼鏡本体Ａにインナーフレーム５を取着させ、装着した状態で顔面と密着した際に、偏向レンズ２内にくもりが発生することを防止できる。また、この他の手段として、前記通気孔８の穿孔手段に変えて、インナーフレーム５の下部内側のフレームの縁を、溝となるような切り欠いた状態にスリットを複数個形成させる（図示せず）ことによっても、同様の効果が得られる。【００３４】次に第２実施例として、図１３はインナーフレーム５内面にゴーグルパッド１３を施した構成を表す平面図であり、図１４は同実施例の装着状態を表す外観斜視図である。図１３及び図１４に示すようにゴーグルパッド１３は基本的には、パッド形状が略半球面に形成され、眼球面周り及び顔面密着した形状体であって、かつ、形状復帰型の吸収体スポンジ性素材により構成されるものがよい。ここで、典型的にはゴーグルパッド１３が高密度低反発ウレタンフォーム材または、シリコン樹脂材を使用することが望ましい。低反発ウレタンフォーム材または、シリコン樹脂材は、顔面形状や体温に合わせて自在に形状を変える柔軟性と、適度な反発性により微妙な個々の顔の作りにもフィットさせる性質から特に適している。また前述素材に限らず、眼球面周り及び顔面密着した形状体であって、かつ、形状復帰型の吸収体スポンジ等の適宜素材により構成されたものは、インナーパッドとして本発明に全て包含されるもので���る。さらに、ゴーグルパッド１３の形成素材には、消臭素材と抗菌性素材と吸汗保温向上素材とを添加されることによって、より効果的なゴーグルパッドを提供することができる。なお、ゴーグルパッド１３はインナーフレーム５に取着する手段として、着脱自在かつ交換自在な手段を施すことによって、常に新しいパッドを装着することができる。【００３５】またここで、インナーフレーム５は図７のレンズ未装着を表す外観斜視図に示すように、フレーム内部５０が空洞であることを示すもので、つまりはインナーフレーム５内部が空洞となった状態であって、本体前枠１とインナーフレーム５の二重の枠内は、直接本体前枠１内に取付けられたレンズ２を覗くことになる。また、前記第２実施例のゴーグルパッド１３を用いた場合には、略ドーナツ状に刳り抜いたゴーグルパッド１３をインナーフレーム５に取着していることから、前述同様に、直接本体前枠１内に取付けられたレンズ２を覗くことになる。【００３６】なお、インナーフレーム５と本体前枠１との嵌着の際に、本体前枠１に施された鼻掛け部９がインナーフレーム５と抵触なることを避けるために、インナーフレーム５には図９に示すように切り欠き部１１が設けられている。また実施例の如く、通常の鼻掛けパッドとフレームを連結するクリングスを用いての鼻掛け部に代わり、フレームに鼻掛け部分を一体形成させたタイプであっても、前記同様にインナーフレーム５に切り欠き部１１を設けることでインナーフレーム５の接触を回避できる。【００３７】また、くもり止めのための処置として、インナーフレーム５にゴーグルパッド１３が取着された際に、フレームの縁を溝となるような切り欠いた状態にスリットを複数個形成させた場合には、インナーフレーム５のスリットの溝部分が開いていることで、ゴーグルパッド１３が密着した状態でゴーグルパッド１３とインナーフレーム５に施したスリット溝が前記通気孔となり、同様の役目と効果が得られることになる。【００３８】更に、インナーフレーム５のフレーム内に通気孔８を設けるように、ゴーグルパッド１３にも同様に通気孔を設けることもできる。このことによっても眼鏡本体Ａにインナーフレーム５を取着させ、顔面に装着した状態で眼球面と密着した際に、レンズ内にくもりが発生することを防止できる。【００３９】本発明によれば、これまで眼鏡内面に部材を施すといった発想が無かったもので、眼鏡本体Ａとインナーフレーム５との部材構成のみにより、最も簡易型であることから低コスト化が実現でき、これまでにない遮光効果と防塵、風・雨・雪等の流入を防止できる。
【図面の簡単な説明】
【００４０】
【図１】本発明の第１実施例における外観斜視図である。
【図２】同実施例の正面図。
【図３】同実施例の背面図。
【図４】同実施例の右側面図。
【図５】同実施例の平面図。
【図６】同実施例の底面図。
【図７】レンズ未装着を表す外観斜視図。
【図８】本発明の装着状態を表す部分斜視図。
【図９】インナーフレームを取り外した状態の分解斜視図。
【図１０】インナーフレームの平面図。
【図１１】インナーフレームの底面図。
【図１２】上面からの装着を表す参考斜視図。
【図１３】第２実施例のインナーフレームにゴーグルパッドを取着した状態の平面図。
【図１４】同実施例の装着状態を表す外観斜視図。
【符号の説明】
【００４１】１：  本体前枠
２：  偏向レンズ
３：  前枠ブリッジ部
４：  テンプル
５：  インナーフレーム
６：  遮光用フード部
６ａ：  上壁    ６ｂ：  下壁
７：  インナーブリッジ部
８：  通気孔
９：  鼻掛け部
１０：  本体マグネット
１１：  切り欠き部
１２：  インナー用マグネット
１３：  ゴーグルパッド
５０：  フレーム内部
【図１】
2005292750.tif 000003
【図２】
2005292750.tif 000004
【図３】
2005292750.tif 000005
【図４】
2005292750.tif 000006
【図５】
2005292750.tif 000007
【図６】
2005292750.tif 000008
【図７】
2005292750.tif 000009
【図８】
2005292750.tif 000010
【図９】
2005292750.tif 000011
【図１０】
2005292750.tif 000012
【図１１】
2005292750.tif 000013
【図１２】
2005292750.tif 000014
【図１３】
2005292750.tif 000015
【図１４】
2005292750.tif 000016
【手続補正書】
【提出日】平成16年12月1日(2004.12.1)
【手続補正１】
【補正対象書類名】特許請求の範囲
【補正対象項目名】全文
【補正方法】変更
【補正の内容】
【特許請求の範囲】
【請求項１】
眼鏡本体の本体前枠と同形状のフレーム枠を有し、前記本体前枠内部に着脱自在となるインナーフレームを設け、該インナーフレームは前記フレーム枠の左右側面部から後方に向かって上下方向の幅が徐々に狭くなるように正面視略弾丸状で内面部を湾曲させた遮光フード部を一体形成させ、前記インナーフレームのフレーム枠前面のいずれかの部位に適宜数の通気孔を設けたことを特徴とする遮光用インナーフレーム付き眼鏡及びサングラス。
【請求項２】
前記眼鏡本体の本体前枠内部に着脱自在となるインナーフレームにおいて、前記本体前枠の前枠ブリッジ部に本体マグネットを施し、前記本体マグネットと対向位置になるように、インナーフレームに形成したインナーブリッジ部の下面にインナー用マグネットを施したことを特徴とした請求項１記載の遮光用インナーフレーム付き眼鏡及びサングラス。
【請求項３】
前記インナーフレーム内面に、眼球面周り及び顔面密着した際に適する形状体の高密度低反発ウレタンフォーム材またはシリコン樹脂材により構成されたゴーグルパッドを取着させたことを特徴とする請求項１又は請求項２記載の遮光用インナーフレーム付き眼鏡及びサングラス。
【請求項４】
前記ゴーグルパッドは、消臭素材と抗菌性素材と吸汗保温向上素材とを添加されたことを特徴とする請求項３記載の遮光用インナーフレーム付き眼鏡及びサングラス。
【手続補正２】
【補正対象書類名】明細書
【補正対象項目名】全文
【補正方法】変更
【補正の内容】
【発明の詳細な説明】
【技術分野】
【０００１】
本発明は、眼鏡またはサングラスを着用する際に、粉塵・埃等のゴミや、光の進入を防ぐための遮光効果と、顔面に当たる風雨から直接目を保護することができる、眼鏡及びサングラスに関するものである。
【背景技術】
【０００２】
従来、サングラスは本来、夏の日差しのきつい時に眼を保護するのが目的で案出されたもので、通常、濃い緑、茶或いは青を基調とするカラーのレンズを用いて太陽光線をカットしている。
勿論、遠近眼鏡（所謂、度の入ったもの）の他に、単なるガラスプレートを着色したものも含まれる。
これらには偏光グラスのように太陽光線の光やその他乱反射に対応するような眼鏡が現在主流となり、目に光の進入を防止するための遮光グラスの開発も多くなされているものである。
【０００３】
また、眼鏡自体を保護するものとしては、眼鏡を内包するように設計されたゴーグルが一般的であり、特にスポーツにおいて眼鏡を用いる場合には、眼鏡を保持するバンドを用いたタイプに加え、ゴーグル型で眼鏡を覆いカバーするものが使用されていた。
また、自動二輪車などの大型バイクでの走行時には、サングラスを着用するバイカーも多く存在する。
【０００４】
然しながら、特に大型バイクでの走行時にはサングラスを着用する場合に、風が目の中に巻き込んでくることから涙が流出することや、埃、塵等が眼球とサングラスの隙間から入るため、危険であり、特に雨が降ってきた場合には走行にも支障をきたしていたものである。
そこでシールドが付いたフルフェイスタイプのヘルメットを着用せざるを得ないことにもなり、サングラス着用での走行には不便な点が多々あった。
また実際にはシールドの無いヘルメットを使用しているバイカーも多く存在していた。
【０００５】
更に、ウインタースポーツでは、スキー、スノーボードなどでは眼鏡及びサングラス自体での着用では、向い風や雷が直接目に入ることから、専用のゴーグルが用いられていたものである。
なお、太陽光と雪の反射を避ける上で偏光グラス型が最も主流なものとなっている。
このことは、釣りにおいても同様であり、特に海・山渓・湖沼に拘らず釣果を上げるために、偏光グラスであることはもとより遮光機能を備えた眼鏡・サングラスの使用も盛んとなっている。
【０００６】
偏光グラスなどの釣り用サングラスでは遮光として側面からの光の進入を防ぐために、テンプルにフードを設けたものや、サンバイザーを取着したもの、遮光アクセサリーを取付けたものなどがあるが、これら開示技術のものは、例えばフード型にあっては顔の形とマッチングしないため隙間が生じてしまい、側面及び後方からの光りの進入を完全に防止することができないものであった。
また、眼鏡デザインによっては前面レンズ上部と眼球との隙間も生じるため直接光が入射することにもなることから、完全な遮光としての役割を果たすことができなかった。
【０００７】
従来、眼鏡に取着して遮光の役目を補うものとしては、テンプルに遮光フードを取付けた技術のものが公知である。
遮光に関する偏光グラスとしては、偏光レンズを保持するレンズ枠と、該レンズ枠から後方に延設されてなるエンドピースと、該エンドピースにヒンジ部で連結されて折り畳み可能に設けられてなるテンプルと、該テンプルに取り付けられテンプルの拡開状態に前記エンドピースとテンプルの外側に位置して、着用時における側方からの入射光を遮る遮光フードとを備えてなるものが公知である。
【０００８】
上述遮光フード付き偏光グラスは、主に釣り用として用いられ、前方からの光を偏光レンズが遮ると共に、側方からの光を遮光フードが遮ることによって、海水面等からの反射光を確実に遮断して海水面等を見やすくしたものであった。
【０００９】
ところが、前述した遮光を目的とする公知技術には以下の欠点が生じていた。
公知技術による遮光フード付き偏光グラスにあっては、ポケット等に収納する際にテンプルを折り畳むと、遮光フードがレンズ枠の横方向の幅よりも外側に大きくはみ出すことになり、収納に極めて不便で持ち運びし難いという問題があった。
【００１０】
即ち、テンプルを折り畳んだ状態では、エンドピースの長さ分だけ遮光フードがヒンジ部から外側にはみ出ることになるので、その長さ分横方向の幅が大きくなる事にある。
【００１１】
一方、収納性を向上させるために、遮光フードを小型化すると、エンドピースの外側を遮光フードが覆わなくなるなど、着用時の光の遮断面積が自ずと小さくなって所望の遮光特性を得ることができないという問題があった。
このように、従来の遮光フード付き偏光グラスにあっては、十分な遮光面積の確保と収納の容易さとを両立させることは不可能であった。
【００１２】
そこで、このような公知技術の遮光フード付き偏光グラスの欠点を補うものとして、フード形状を球面状かつ、後方側に向かって上下方向の幅が狭くなるように略弾丸状に形成し、テンプルに沿ってスライドするようにしたものが開示されている（特許文献１を参照）。
【００１３】
また、他の遮光用としては眼鏡のフレーム上面に目庇を設けたことを特徴とした眼鏡型サンバイザー（特許文献２を参照）や、遮光レンズに割れや固定具のズレが生じない遮光具（特許文献３及び特許文献４を参照）が関示されている。
特に、バイザーを取着した場合には眼鏡前面に取着する煩わしさに加え、邪魔となるほか側面部、後方部からの光が容易に侵入することから遮光の意味が成されない。
また上記取付け金具による遮光を行う技術では眼鏡自体に施す部品点数が多く、コスト面での欠点に加え、前述同様に顔と一致して完全に遮光するためのものは存在しないのが実情であった。
【００１４】
このことは、眼鏡と一体化した遮光手段において従来のものはそのデザイン性にも乏しいものであり、機能的欠点が存在した。
またこれまで、従来技術には眼鏡の前面に種々道具を施すものや、眼鏡を内包するゴーグルなどは存在したが、眼鏡の内側にインナーとする遮光用フレームを使用したものやゴーグルパッドを取着したものは存在しなかったものである。
【特許文献１】特開平１１−１６７０８６号公報
【特許文献２】特開平１１−３６１２７号公報
【特許文献３】特開平９−２６９４６６号公報
【特許文献４】実用新案登録第３０１１３５６号公報
【発明の開示】
【発明が解決しようとする課題】
【００１５】
本発明は上述の種々なる問題点に鑑み、眼鏡内部に取着して眼球を保護し、かつ、光の進入を完全に遮り、インナー部を取り替えて使用することにより、通常時には何ら変わることがない遮光用インナーフレーム付き眼鏡及びサングラスの提供を目的とするものである。
【課題を解決するための手段】
【００１６】
前記の問題点を解決すべく種々研究の結果、上記目的は本発明によって有効に達成することができる。
【００１７】
すなわち本発明の遮光用インナーフレーム付き眼鏡及びサングラスは、眼鏡本体の本体前枠と同形状のフレーム枠を有し、前記本体前枠内部に着脱自在となるインナーフレームを設け、該インナーフレームは前記フレーム枠の左右側面部から後方に向かって上下方向の幅が徐々に狭くなるように正面視略弾丸状で内面部を湾曲させた遮光フード部を一体形成させ、前記インナーフレームのフレーム枠前面のいずれかの部位に適宜数の通気孔を設けたものである。
【００１８】
また本発明の遮光用インナーフレーム付き眼鏡及びサングラスは、前記眼鏡本体の本体前枠内部に着脱自在となるインナーフレームにおいて、前記本体前枠の前枠ブリッジ部に本体マグネットを施し、前記本体マグネットと対向位置になるように、インナーフレームに形成したインナーブリッジ部の下面にインナー用マグネットを施したものである。
【００１９】
さらに、前記インナーフレーム内面に、眼球面周り及び顔面密着した際に適する形状体の高密度低反発ウレタンフォーム材またはシリコン樹脂材により構成されたゴーグルパッドを取着させたものである。
【００２０】
また前記ゴーグルパッドは、消臭素材と抗菌性素材と吸汗保温向上素材とを添加されたものである。
以上の如く前記各記載の遮光用インナーフレーム付き眼鏡及びサングラスを提供することにより上述種々の問題点を解決している。
【発明の効果】
【００２１】
以上の如く、本発明の遮光用インナーフレーム付き眼鏡及びサングラスによれば、自動二輪車等のバイク走行において、シールドの無いヘルメットを使用しているバイカーにとっては、サングラス着用と何ら変わらず使用できることから、これまで眼鏡及びサングラスと顔面との隙間からの風の流入を完全防止でき、涙の流出を阻止することができる。
また、粉塵や埃から目を保護することができると共に、雨・汗などの流入を防ぐことができる。
特にバイク走行では安全な視界を確保できるため事故防止にもつながる。
【００２２】
また、釣り用として用いる場合に、偏光レンズと組み合わせるとフレーム外部から進入する光を遮ることが出来るため、より高い偏光度が得られ、集中カが向上する。
また船やボートの釣り人にとっては走航中ゴーグルの代わりにもなり、風の巻き込みを完全に防御することで安全な視界が得られる。
【００２３】
スキー・スノーボードなどのウインタースポーツにおいても、これまでのゴーグルに変わって度付の眼鏡は勿論のこと、サングラス及び偏光グラスとして、風や雪の流入を防ぐことができる。
【００２４】
さらに、インナーフレームと眼鏡を組み合わせた本発明においては、これまでの眼鏡及びサングラスのデザインと見劣りすることが無い、デザイン性に富み優れた意匠を提供できる。
またインナーフレームにゴーグルパッドを取着させることで、顔面により優れた密着感を与え、眼球内に風や埃の進入を防ぐことができる。
【００２５】
本発明は、必要時に遮光するという発想から生まれたもので、レンズフレームとインナーフレームが一体型フォームとなることによって、インナーフレーム未使用時は通常の眼鏡及びサングラスとして使用できることから、普段での生活で使用するほか多種目に渡り利用ができる。
なお、本発明の使用にあたりコンタクトレンズ使用者にとっても何等支障を及ぼすことがなく快適に使用ができる。
以上、本発明は多方面での有効利用による市場性の向上は勿論のこと、眼鏡業界の市場性の向上を計ることができることにより、産業上に極めて有意義かつ多大な効果を生ぜしめるものである。
【発明を実施するための最良の形態】
【００２６】
以下に、本発明における遮光用インナーフレーム付き眼鏡及びサングラスの一実施形態について、図面を交え図番に沿って詳述する。
図１は本発明の第１実施例における外観斜視図で、図２は正面図であり、図３は背面図、図４は右側面図、図５は平面図、図６は底面図である。
図７はレンズ未装着を表わす外観斜視図、図８は装着状態を表わす部分斜視図、図９はインナーフレームを取り外した状態の分解斜視図、図１０はインナーフレームの平面図、図１１はインナーフレームの底面図、図１２は上面からの装着を表わす参考斜視図である。
典型的な形状としては、図１２の上面からの装着を表す参考斜視図に示すとおり、本発明の遮光用インナーフレーム付き眼鏡及びサングラスは眼鏡本体Ａとインナーフレーム５により構成される。
【００２７】
図１〜図８に示すように、前記眼鏡本体Ａは左右偏向レンズ２を装着する∞状の本体前枠１をメインフレームとして、前記本体前枠１と、左右のテンプル４と、該テンプル４を連結する右智、左智（以下、「ジョイント金具」と呼ぶ。）とから連結構成され、本体前枠１の前面中央部に左右架橋する前枠ブリッジ部３と、前記本体前枠１内に装着された左右偏向レンズ２から成る。
【００２８】
図９に示すように、前記本体前枠１の前枠ブリッジ部３の上面には後述するインナーフレーム５を磁着するための本体マグネット１０が埋設されており、前記本体マグネット１０の磁性ユニットを通して前記インナーフレーム５を磁着嵌合させて構成される。
【００２９】
前記インナーフレーム５は、図９に示すように、前記本体前枠１と同一の∞形状に形成されたフレーム枠（番号なし）の左右側面部から後方に向って（図９においては手前側に向って）上下方向の幅が徐々に狭くなるように略弾丸状で内面部を湾曲させた遮光フード部６を一体形成させ、前記遮光フード部６は、図８に示すように上下壁６a、６ｂが内側に屈曲して断面視略ハの字に形成されてなり、内側に屈曲した上下壁６a、６ｂによって、目と眼鏡本体Ａとの間に斜め上方及び斜め下方から入射する光を遮断する形状になっている。
【００３０】
また図１０の平面図に示すように、前記インナーフレーム５は、前記前枠ブリッジ部３と同様に左右を架橋するようにインナーブリッジ部７を形成しており、図１１のインナーフレーム５の底面図に示すとおり、前記インナーブリッジ部７には前記本体前枠１の前枠ブリッジ部３に施した前記本体マグネット１０の磁性ユニットと対向位置かつ、磁着なるようにインナーブリッジ部７下面にインナー用マグネット１２の磁性ユニットを埋設しており、前記本体マグネット１０の磁性ユニットとインナー用マグネット１２の磁性ユニットにより着脱自在としている。
両磁性ユニット部のみでの磁着であっても、図１２に示すように装着時には本体前枠１の前枠ブリッジ部３に前記インナーブリッジ部７を掛けるので、ユーザーが走っても、上下に跳ねてもインナーフレーム５のインナーブリッジ部７が本体前枠１に支持され、じっとしている。
その結果、インナーフレーム５が眼鏡本体Ａから脱離することを防止できる。
【００３１】
実施にあたり、本体マグネット１０とインナー用マグネット１２が磁着された際に、本体前枠１とインナーフレーム５のフレーム同士に隙間が生じないように、各マグネットは互いに埋設され、着磁されたマグネット表面部同士が密着するように形成されることでよい。
また、フレームに埋設した各々のマグネットを凹凸状に組み合わせることもできる。
例えばインナーブリッジ部７下面に施すインナー用マグネット１２を凸状に表面から突出させ、前枠ブリッジ部３に埋設した本体マグネット１０は表面から凹状となるように彫り込みした部分に埋設させ、インナー用マグネット１２の突出した部分と彫り込みされた部分に埋設した本体マグネット１０とが互いに磁着嵌合することによって、本体前枠１とインナーフレーム５とに隙間が生じないだけでなく、本体前枠１とインナーフレーム５との位置ズレの解消にもつながる。
【００３２】
なお、前述したように実施例として、各ブリッジ部に施した磁性ユニットの磁着による着脱手段を代表例としているが、本発明においては眼鏡本体内面部にインナーフレームを取着することであることから、インナーフレーム５を本体前枠１内面部に取着する手段は、眼鏡本体Ａにインナーフレーム５が着脱自在となる手段であれば良いことから、ブリッジ部以外のフレーム面同士を嵌着する手段でもよく、前記眼鏡本体Ａと前記インナーフレーム５が着脱自在となる適宜手段によって、本発明における同様の効果が全て得られる。
【００３３】
さらに、図９に示す前記インナーフレーム５のフレーム枠（番号なし）前面には外周部位に適宜数の通気孔８を施しており、図１０の通気孔８は角型形状であるものの、円形でもよく、また、図１０では通気孔８を施している事が理解し易いように極端に大きく穿孔した状態を表したもので、実際には小径の孔とすることでよい。
また、前記通気孔８を設ける位置は、インナーフレーム５外周面内に複数個設ける事で良いとするものの、雨等の水滴がインナーフレーム５内に侵入することを防ぐために適するのは、インナーフレーム５上部または側面よりも、下部のみに設けることが最も良い手段である。
【００３４】
図８に示すように、眼鏡本体Ａにインナーフレーム５を取着させ、前記インナーフレーム５に設けられた通気孔８によって、装着した状態で顔面と密着した際に、偏向レンズ２内にくもりが発生することを防止できる。
またここで、インナーフレーム５は図７のレンズ未装着を表す外観斜視図に示すように、フレーム内部５０が空洞であることを示すもので、つまりはインナーフレーム５内部が空洞となった状態であって、本体前枠１とインナーフレーム５の二重の枠内は、直接本体前枠１内に取付けられたレンズ２を覗くことになる。
【００３５】
また、この他の手段として、前記通気孔８の穿孔手段に変えて、インナーフレーム５の下部内側のフレーム縁を、横断溝となるような切り欠いた状態にスリットを複数個形成させる(図示せず)ことによっても、同様の効果が得られる。
【００３６】
本発明は、必要時に遮光するという発想から生まれたもので、本体前枠１とインナーフレーム５が着脱自在の一体型フォームとなることによって、インナーフレーム５の未使用時は通常の眼鏡及びサングラスとして使用できることから、普段での生活で使用する時には、インナーフレーム５を取り外し、前記ジョイント金具により左右テンプル４を折り畳み収納できる。
【００３７】
なお、インナーフレーム５と本体前枠１との嵌着の際に、本体前枠１に施された鼻掛け部９がインナーフレーム５と抵触なることを避けるために、インナーフレーム５には図９に示すように切り欠き部１１が設けられている。
また実施例の如く通常の鼻掛けパッドとフレームを連結するクリングスを用いての鼻掛け部９に代わり、フレームに鼻掛け部分を一体形成させたタイプであっても、前記同様にインナーフレーム５に切り欠き部１１を設けることでインナーフレーム５の接触を回避できる。
【００３８】
次に、図１３は第２実施例としてインナーフレーム５内面にインナーパッドとしてゴーグルパッド１３を施した構成を表す平面図であり、図１４は同実施例の装着状態を表す外観斜視図である。
図１３及び図１４に示すようにゴーグルパッド１３は基本的には、パッド形状が略半球面に形成された眼球面周り及び顔面密着した形状体であって、かつ、形状復帰型の吸収体スポンジ製素材により構成されるものがよい。
ここで、典型的にはゴーグルパッド13が高密度低反発ウレタンフォーム材またはシリコン樹脂材を使用することが望ましい。
【００３９】
低反発ウレタンフォーム材またはシリコン樹脂材は、顔面形状や体温に合わせて自在に形状を変える柔軟性と、適度な反発性により微妙な個々の顔の作りにもフィットさせる性質から特に適している。
また前述の素材に限らず、眼球面周り及び顔面密着した形状体であって、かつ、形状復帰型の吸収体スポンジ等の適宜素材により構成されたものは、インナーパッドとして本発明に全て包含されるものである。
【００４０】
さらに、ゴーグルパッド１３の形成素材には、消臭素材と抗菌性素材と吸汗保温向上素材とを添加されることによって、より効果的なゴーグルパッドを提供することができる。
なお、ゴーグルパッド１３はインナーフレーム５に取着する手段として、着脱自在かつ交換自在な手段を施すことによって、常に新しいパッドを装着することができる。
【００４１】
また、本発明の第２実施例のゴーグルパッド１３を用いた場合には、略ドーナツ状に刳り抜いたゴーグルパッド１３をインナーフレーム５に取着していることから、前述したと同様に、直接本体前枠１内に取付けられたレンズ２を覗くことになる。
【００４２】
また、くもり止めのための処置として、インナーフレーム５にゴーグルパッド１３が取着された際に、フレーム縁を横断溝となるような切り欠いた状態にスリットを複数個形成させた場合には、インナーフレーム５のスリットの溝部分が開いていることで、ゴーグルパッド１３が密着した状態でゴーグルパッド１３とインナーフレーム５に施したスリット溝が前記通気孔となり、同様の役目と効果が得られることになる。
【００４３】
更に、インナーフレーム５のフレーム縁に通気孔８を設けるように、ゴーグルパッド１３にも同様に通気孔を設けることもできる。
このことによっても眼鏡本体Ａにインナーフレーム５を取着させ、顔面に装着した状態で眼球面と密着した際に、レンズ内にくもりが発生することを防止できる。
【００４４】
本発明によれば、これまで眼鏡内面に部材を施すといった発想が無かったもので、眼鏡本体Ａとインナーフレーム５との部材構成のみにより、最も簡易型であることから低コスト化が実現でき、これまでにない遮光効果と防塵、風・雨・雪等の流入を防止できる。
【図面の簡単な説明】
【００４５】
【図１】本発明の第１実施例における外観斜視図である。
【図２】本発明の同実施例の正面図である。
【図３】本発明の同実施例の背面図である。
【図４】本発明の同実施例の右側面図である。
【図５】本発明の同実施例の平面図である。
【図６】本発明の同実施例の底面図である。
【図７】レンズ未装着を表す外観斜視図である。
【図８】本発明の装着状態を表す部分斜視図である。
【図９】インナーフレームを取り外した状態の分解斜視図である。
【図１０】インナーフレームの平面図である。
【図１１】インナーフレームの底面図である。
【図１２】上面からの装着を表す参考斜視図である。
【図１３】本発明の第２実施例における平面図である。
【図１４】本発明の同実施例における外観斜視図である。
【符号の説明】
【００４６】
１:本体前枠
２:偏向レンズ
３:前枠ブリッジ部
４:テンプル
５:インナーフレーム
６:遮光用フード部
６a:上壁    ６b:下壁
７:インナーブリッジ部
８:通気孔
９:鼻掛け部
１０:本体マグネット
１１:切り欠き部
１２:インナー用マグネット
１３:ゴーグルパッド
５０:フレーム内部
【手続補正書】
【提出日】平成16年12月10日(2004.12.10)
【手続補正１】
【補正対象書類名】明細書
【補正対象項目名】０００５
【補正方法】変更
【補正の内容】
【０００５】
更に、ウインタースポーツでは、スキー、スノーボードなどでは眼鏡及びサングラス自体での着用では、向い風や雪が直接目に入ることから、専用のゴーグルが用いられていたものである。
なお、太陽光と雪の反射を避ける上で偏光グラス型が最も主流なものとなっている。
このことは、釣りにおいても同様であり、特に海・山渓・湖沼に拘らず釣果を上げるために、偏光グラスであることはもとより遮光機能を備えた眼鏡・サングラスの使用も盛んとなっている。
【手続補正書】
【提出日】平成17年4月11日(2005.4.11)
【手続補正１】
【補正対象書類名】特許請求の範囲
【補正対象項目名】請求項１
【補正方法】変更
【補正の内容】
【請求項１】
眼鏡本体の本体前枠と同形状のフレーム枠を有する、前記本体前枠内部に着脱自在となる眼球面周り及び顔面密着したインナーフレームを設け、該インナーフレームは前記フレーム枠の左右側面部から後方に向かって上下方向の幅が徐々に狭くなるように正面視略弾丸状で内面部を湾曲させた遮光フード部を一体形成させると共に、前記フレーム枠の眼球面周りに外気と連通する通気孔を設けたことを特徴とする遮光用インナーフレーム付き眼鏡及びサングラス。
【手続補正２】
【補正対象書類名】明細書
【補正対象項目名】００１７
【補正方法】変更
【補正の内容】
【００１７】
すなわち本発明の遮光用インナーフレーム付き眼鏡及びサングラスは、眼鏡本体の本体前枠と同形状のフレーム枠を有する、前記本体前枠内部に着脱自在となる眼球面周り及び顔面密着したインナーフレームを設け、該インナーフレームは前記フレーム枠の左右側面部から後方に向かって上下方向の幅が徐々に狭くなるように正面視略弾丸状で内面部を湾曲させた遮光フード部を一体形成させると共に、前記フレーム枠の眼球面周りに外気と連通する通気孔を設けたものである。
【手続補正書】
【提出日】平成17年8月1日(2005.8.1)
【手続補正１】
【補正対象書類名】特許請求の範囲
【補正対象項目名】全文
【補正方法】変更
【補正の内容】
【特許請求の範囲】
【請求項１】
眼鏡本体の本体前枠と同形状のフレーム枠を有する、前記眼鏡本体の本体前枠内部に着脱自在となるインナーフレームにおいて、前記本体前枠の前枠ブリッジ部に本体マグネットを施し、該本体マグネットと対向位置になるようにインナーフレームに形成したインナーブリッジ部の下面にインナー用マグネットを施して着脱自在とし、前記インナーフレームの前記フレーム枠の左右側面部から後方に向かって上下方向の幅が徐々に狭くなるように正面視略弾丸状で内面部を湾曲させた遮光フード部を一体形成させると共に眼球面周り及び顔面密着したインナーフレームの前記フレーム枠の眼球面周りに外気と連通する通気孔を設けたことを特徴とする遮光用インナーフレーム付き眼鏡及びサングラス。
【請求項２】
前記インナーフレーム内面に、眼球面周り及び顔面密着した際に適する形状体の高密度低反発ウレタンフォーム材またはシリコン樹脂材により構成されたゴーグルパッドを取着させたことを特徴とする請求項１記載の遮光用インナーフレーム付き眼鏡及びサングラス。
【請求項３】
前記ゴーグルパッドは、消臭素材と抗菌性素材と吸汗保温向上素材とを添加されたことを特徴とする請求項２記載の遮光用インナーフレーム付き眼鏡及びサングラス。
【手続補正２】
【補正対象書類名】明細書
【補正対象項目名】００１７
【補正方法】変更
【補正の内容】
【００１７】
すなわち本発明の遮光用インナーフレーム付き眼鏡及びサングラスは、眼鏡本体の本体前枠と同形状のフレーム枠を有する、前記眼鏡本体の本体前枠内部に着脱自在となるインナーフレームにおいて、前記本体前枠の前枠ブリッジ部に本体マグネットを施し、該本体マグネットと対向位置になるようにインナーフレームに形成したインナーブリッジ部の下面にインナー用マグネットを施して着脱自在とし、前記インナーフレームの前記フレーム枠の左右側面部から後方に向かって上下方向の幅が徐々に狭くなるように正面視略弾丸状で内面部を湾曲させた遮光フード部を一体形成させると共に眼球面周り及び顔面密着したインナーフレームの前記フレーム枠の眼球面周りに外気と連通する通気孔を設けたものである。
【手続補正３】
【補正対象書類名】明細書
【補正対象項目名】００１８
【補正方法】変更
【補正の内容】
【００１８】
また本発明の遮光用インナーフレーム付き眼鏡及びサングラスは、前記インナーフレーム内面に、眼球面周り及び顔面密着した際に適する形状体の高密度低反発ウレタンフォーム材またはシリコン樹脂材により構成されたゴーグルパッドを取着させたものである。
【手続補正４】
【補正対象書類名】明細書
【補正対象項目名】００１９
【補正方法】変更
【補正の内容】
【００１９】
さらに、前記ゴーグルパッドは、消臭素材と抗菌性素材と吸汗保温向上素材とを添加されたものである。
【手続補正５】
【補正対象書類名】明細書
【補正対象項目名】００２０
【補正方法】変更
【補正の内容】
【００２０】
以上の如く前記各記載の遮光用インナーフレーム付き眼鏡及びサングラスを提供することにより上述種々の問題点を解決している。